【手続補正書】
【提出日】平成18年8月23日(2006.8.23)
【手続補正１】
【補正対象書類名】明細書
【補正対象項目名】特許請求の範囲
【補正方法】変更
【補正の内容】
【特許請求の範囲】
【請求項１】
複数の通信端末が通信回線を介してサーバーに接続された構成の無線通信システムであって、
任意の通信端末は、
自端末の所定の条件で作動し、他の通信相手端末が通信可能な状態にあるか否かを前記サーバーに問い合わせる問い合わせ手段と、
前記サーバーからの応答結果に基づき、前記通信相手端末が通信可能状態にある場合にその結果をユーザーに通知する通知手段とを備えており、
前記サーバーは、
前記任意の通信端末からの問い合わせに対し、前記他の通信相手端末との通信を試みることによって当該通信相手端末が通信可能状態にあるか否かを確認し、その確認結果を前記任意の通信端末に応答結果として送信する手段を備えたことを特徴とする無線通信システム。
【請求項２】
前記任意の通信端末は、自端末の電源を所定時間間隔でオン作動する電源オン手段をさらに備えており、
前記問い合わせ手段は、前記電源オン手段による電源オン後に、他の通信相手端末が通信可能な状態にあるか否かを前記サーバーに問い合わせることを特徴とする請求項１に記載の無線通信システム。
【請求項３】
複数の通信端末が通信回線を介してサーバーに接続された構成の無線通信システムであって、
任意の通信端末は、
他の通信相手端末の情報を管理する通信相手端末管理手段と、
自端末の所定の条件で作動し、他の通信相手端末が通信可能な状態にあるか否かを前記サーバーに問い合わせる問い合わせ手段と、
前記サーバーからのアドレス情報に基づいて前記通信相手端末との通信を試みることによって当該通信相手端末が通信可能状態にあるか否かを検知する通信相手端末検知手段と、
検知の結果、前記通信相手端末が通信可能状態にある場合にその結果をユーザーに通知する通知手段とを備えており、
前記サーバーは、
前記任意の通信端末からのアドレスの問い合わせに対し、問い合わせのあった通信相手端末のアドレス情報を前記任意の通信端末に送信する手段を備えたことを特徴とする無線通信システム。
【請求項４】
前記任意の通信端末は、他の通信相手端末の情報を管理する通信相手端末管理手段と、自端末の電源を所定時間間隔でオン作動する電源オン手段とをさらに備えており、
前記問い合わせ手段は、前記電源オン手段による電源オン後に、前記通信相手端末管理手段の管理情報に基づいて、通信を希望する通信相手端末のアドレスを前記サーバーに問い合わせることを特徴とする請求項３に記載の無線通信システム。
【請求項５】
前記通知手段が、表示装置による画面表示による通知及び／または音による通知であることを特徴とする請求項１ないし請求項４のいずれかに記載の無線通信システム。
【請求項６】
前記任意の通信端末は、自端末が通信可能エリアに入ったか否かを検知する通信可能エリア検知手段をさらに備えており、
前記電源オン手段は、前記通信可能エリア検知手段により自端末が通信可能エリアにいないことを検知しているときには、所定時間経過後であっても電源をオンしないことを特徴とする請求項２または請求項４に記載の無線通信システム。
【請求項７】
前記電源オン手段は、前記通信相手端末管理手段に通信相手端末が存在しないときには、所定時間経過後であっても電源をオンしないことを特徴とする請求項４に記載の無線通信システム。
【請求項８】
前記任意の通信端末は、ユーザーへインターフェースを提供するユーザーインターフェース手段をさらに備えており、
前記ユーザーインターフェース手段は、通信可能状態にある通信相手端末が存在する場合には、自端末の表示装置に通信可能な通信相手端末を表示し、タブレット装置へのタッチまたは単純なキーオペレーションで通信を行うアプリケーションを起動することを特徴とする請求項３または請求項４に記載の無線通信システム。
【請求項９】
前記ユーザーインターフェースは、自端末が前記通信相手端末と通信を行った後、通信切断時に次回の検知を行うか否かをユーザーに問い合わせ、ユーザーによる入力結果を前記通信相手端末管理手段に記憶させる機能を備えることを特徴とする請求項８に記載の無線通信システム。
【請求項１０】
前記通信相手端末管理手段は、通信相手端末のうち常に検知する通信相手端末と次回の検知を行わない通信相手端末とを区別する機能を備え、
前記通信相手端末検知手段は、検知する通信相手端末のみとの通信を行ってその通信相手端末が通信可能状態にあるか否かを検知する機能を備えることを特徴とする請求項３または請求項４に記載の無線通信システム。
【請求項１１】
サーバーに接続可能な通信端末であって、
自端末の所定の条件で作動し、他の通信相手端末が通信可能な状態にあるか否かをサーバーに問い合わせる問い合わせ手段と、
前記サーバーからの応答結果に基づき、前記通信相手端末が通信可能状態にある場合にその結果をユーザーに通知する通知手段とを備えたことを特徴とする通信端末。
【請求項１２】
自端末の電源を所定時間間隔でオン作動する電源オン手段をさらに備えており、
前記問い合わせ手段は、前記電源オン手段による電源オン後に、他の通信相手端末が通信可能な状態にあるか否かを前記サーバーに問い合わせることを特徴とする請求項１１に記載の通信端末。
【請求項１３】
サーバーに接続可能な通信端末であって、
他の通信相手端末の情報を管理する通信相手端末管理手段と、
自端末の所定の条件で作動し、他の通信相手端末が通信可能な状態にあるか否かをサーバーに問い合わせる問い合わせ手段と、
前記サーバーからのアドレス情報に基づいて前記通信相手端末との通信を試みることによって当該通信相手端末が通信可能状態にあるか否かを検知する通信相手端末検知手段と、
検知の結果、前記通信相手端末が通信可能状態にある場合にその結果をユーザーに通知する通知手段とを備えたことを特徴とする通信端末。
【請求項１４】
他の通信相手端末の情報を管理する通信相手端末管理手段と、自端末の電源を所定時間間隔でオン作動する電源オン手段とをさらに備えており、
前記問い合わせ手段は、前記電源オン手段による電源オン後に、前記通信相手端末管理手段の管理情報に基づいて、通信を希望する通信相手端末のアドレスを前記サーバーに問い合わせることを特徴とする請求項１３に記載の通信端末。
【請求項１５】
前記通知手段が、表示装置による画面表示による通知及び／または音による通知であることを特徴とする請求項１１ないし請求項１４のいずれかに記載の通信端末。
【請求項１６】
自端末が通信可能エリアに入ったか否かを検知する通信可能エリア検知手段をさらに備えており、
前記電源オン手段は、前記通信可能エリア検知手段により自端末が通信可能エリアにいないことを検知しているときには、所定時間経過後であっても電源をオンしないことを特徴とする請求項１２または請求項１４に記載の通信端末。
【請求項１７】
前記電源オン手段は、前記通信相手端末管理手段に通信相手端末が存在しないときには、所定時間経過後であっても電源をオンしないことを特徴とする請求項１４に記載の通信端末。
【請求項１８】
ユーザーへインターフェースを提供するユーザーインターフェース手段をさらに備えており、
前記ユーザーインターフェース手段は、通信可能状態にある通信相手端末が存在する場合には、自端末の表示装置に通信可能な通信相手端末を表示し、タブレット装置へのタッチまたは単純なキーオペレーションで通信を行うアプリケーションを起動することを特徴とする請求項１３または請求項１４に記載の通信端末。
【請求項１９】
前記ユーザーインターフェースは、自端末が前記通信相手端末と通信を行った後、通信切断時に次回の検知を行うか否かをユーザーに問い合わせ、ユーザーによる入力結果を前記通信相手端末管理手段に記憶させる機能を備えることを特徴とする請求項１８に記載の通信端末。
【請求項２０】
前記通信相手端末管理手段は、通信相手端末のうち常に検知する通信相手端末と次回の検知を行わない通信相手端末とを区別する機能を備え、
前記通信相手端末検知手段は、検知する通信相手端末のみとの通信を行ってその通信相手端末が通信可能状態にあるか否かを検知する機能を備えることを特徴とする請求項１３または請求項１４に記載の通信端末。
【請求項２１】
通信相手端末を検知するコンピュータ読み取り可能な通信相手端末検知プログラムであって、
自端末の所定の条件で作動し、他の通信相手端末が通信可能な状態にあるか否かをサーバーに問い合わせる問い合わせステップと、
前記サーバーからの応答結果に基づき、前記通信相手端末が通信可能状態にある場合にその結果をユーザーに通知するステップとを備えたことを特徴とする通信相手端末検知プログラム。
【請求項２２】
自端末の電源を所定時間間隔でオン作動するステップをさらに備えており、
前記問い合わせステップは、自端末の電源オン後に、他の通信相手端末が通信可能な状態にあるか否かをサーバーに問い合わせることを特徴とする請求項２１に記載の通信相手端末検知プログラム。
【請求項２３】
通信相手端末を検知するコンピュータ読み取り可能な通信相手端末検知プログラムであって、
自端末の所定の条件で作動し、他の通信相手端末の情報を管理する通信相手端末管理部の管理情報に基づいて、通信を希望する通信相手端末のアドレスをサーバーに問い合わせる問い合わせステップと、
前記サーバーからのアドレス情報に基づいて前記通信相手端末との通信を試みることによって当該通信相手端末が通信可能状態にあるか否かを検知するステップと、
検知の結果、前記通信相手端末が通信可能状態にある場合にその結果をユーザーに通知するステップとを備えたことを特徴とする通信相手端末検知プログラム。
【請求項２４】
自端末の電源を所定時間間隔でオン作動するステップをさらに備えており、
前記問い合わせステップは、自端末の電源オン後に、他の通信相手端末の情報を管理する通信相手端末管理部の管理情報に基づいて、通信を希望する通信相手端末のアドレスをサーバーに問い合わせることを特徴とする請求項２３に記載の通信相手端末検知プログラム。
【請求項２５】
請求項２１ないし請求項２４のいずれかに記載の通信相手端末検知プログラムを記録したコンピュータ読み取り可能な記録媒体。
【手続補正２】
【補正対象書類名】明細書
【補正対象項目名】００４２
【補正方法】変更
【補正の内容】
【００４２】
図１に示す電子機器は、全体を制御するＣＰＵ１、各種情報やＧＵＩ（グラフィカルユーザーインターフェース）を表示するＬＣＤ（液晶ディスプレイ）等の表示装置２、表示装置２に表示されているＧＵＩをタッチペン等で指示するタブレット装置３、タブレット装置３上をタッチするペン操作を制御するタブレット制御部４、キー操作による指示を与えるためのキー入力装置５、及びキー入力装置を制御するキー制御部６を備えている。そして、本電子機器を制御するためには、制御用のプログラム等が格納されているＲＯＭ９、プログラムを実行するために必要なワークエリア等が格納されているＲＡＭ１０、プログラムおよびデータを記録しておく記録媒体としてフラッシュメモリー等の記憶装置７、ＰＣＭＣＩＡカードを差すためのＰＣカードＩ／Ｆ（Ｉ／Ｆ：インターフェース）１３、ＰＣカードＩ／Ｆ１３を制御するためのＰＣカード制御部１１、シリアル接続機器を接続するためのシリアルＩ／Ｆ１４、シリアルＩ／Ｆ１４を制御するためのＵＡＲＴ（汎用非同期式受信回路）制御部１２、ＳＤカードを差すためのＳＤカードＩ／Ｆ１６及びＳＤカードＩ／Ｆ１６を制御するためのＳＤカード制御部１５を備えている。更に、音を鳴らすためのブザー１７を備え、電子機器の装置全体はバス８で接続されている。
【手続補正３】
【補正対象書類名】明細書
【補正対象項目名】００６０
【補正方法】変更
【補正の内容】
【００６０】
一方、自端末１０１が通信可能エリアＡ内であって通信可能と判断した場合（ステップＳ２０３でＹｅｓと判断した場合）には、自端末１０１は、図７の通信相手端末管理部２０５を呼び出し通信相手端末の情報管理ファイル（図４）を開き（ステップＳ２０４）、自端末１０１は、通信相手端末の情報管理の常時検知対象端末の項目にチェックが入っている端末と次回検知対象端末にチェックが入っている端末をピックアップする（ステップＳ２０５）。そして、ピックアップした端末のアドレスをサーバーに問い合わせる（ステップＳ２０６：図８中矢符ａ）。